(57)【要約】【課題】収納凹部を開放する際の操作性を向上させる。【解決手段】内容物が収納される収納凹部が形成された容器本体１２と、容器本体１２に連結されて前記収納凹部を開閉する蓋体１３と、を備えるコンパクト容器１において、容器本体１２及び蓋体１３は、容器軸Ｏ回りに間隔をあけて配設された３つ以上の連結部材２１を介して互いに連結され、連結部材２１は、容器本体１２及び蓋体１３のうちのいずれか一方に設けられるとともに、凹球面状の内周面を有する支持部２２と、他方に設けられるとともに、支持部２２に回動自在にかつ着脱自在に嵌入された嵌入突部２３と、を備え、３つ以上の連結部材２１のうち、一部の連結部材２１における嵌入突部２３が支持部２２内で回動し、かつ残りの連結部材２１における嵌入突部２３が支持部２２に着脱されることで、収納凹部１１が開閉される。【選択図】図１
2014212877.tif 000002
【特許請求の範囲】
【請求項１】
内容物が収納される収納凹部が形成された容器本体と、
前記容器本体に連結されて前記収納凹部を開閉する蓋体と、
を備えるコンパクト容器において、
前記容器本体及び前記蓋体は、容器軸回りに間隔をあけて配設された３つ以上の連結部材を介して互いに連結され、
前記連結部材は、
前記容器本体及び前記蓋体のうちのいずれか一方に設けられるとともに、凹球面状の内周面を有する支持部と、
他方に設けられるとともに、前記支持部内に回動自在にかつ着脱自在に嵌入された嵌入突部と、を備え、
前記３つ以上の連結部材のうち、一部の連結部材における前記嵌入突部が前記支持部内で回動し、かつ残りの連結部材における前記嵌入突部が前記支持部に着脱されることで、前記収納凹部が開閉されることを特徴とするコンパクト容器。
【請求項２】
請求項１記載のコンパクト容器であって、
前記支持部は、有底筒状に形成されるとともに、前記容器本体及び前記蓋体のうちのいずれか一方に、他方に向けて開口するように配設され、
前記支持部には、前記他方側の開口端縁から前記一方側に向けて延びる縦溝が形成され、
前記嵌入突部は、前記縦溝内に挿脱しながら前記支持部内で回動することを特徴とするコンパクト容器。
【発明の詳細な説明】
【技術分野】
【０００１】
本発明は、コンパクト容器に関するものである。
【背景技術】
【０００２】
従来から、例えば下記特許文献１に示されるような、内容物が収納される収納凹部が形成された容器本体と、容器本体に連結されて収納凹部を開閉する蓋体と、を備えるコンパクト容器が知られている。
【先行技術文献】
【特許文献】
【０００３】
【特許文献１】特開２０１２−１１５４５９号公報
【発明の概要】
【発明が解決しようとする課題】
【０００４】
しかしながら、前記従来のコンパクト容器では、容器本体の収納凹部を開放する際に、蓋体の外周縁部のうちの特定の限られた部分を、容器本体に対して引き上げる必要があり、収納凹部を開放する際の操作性を向上させることに改善の余地があった。
【０００５】
本発明は、このような事情を考慮してなされたもので、収納凹部を開放する際の操作性を向上させることができるコンパクト容器を提供することを目的とする。
【課題を解決するための手段】
【０００６】
上記課題を解決して、このような目的を達成するために、本発明のコンパクト容器は、内容物が収納される収納凹部が形成された容器本体と、前記容器本体に連結されて前記収納凹部を開閉する蓋体と、を備えるコンパクト容器において、前記容器本体及び前記蓋体は、容器軸回りに間隔をあけて配設された３つ以上の連結部材を介して互いに連結され、前記連結部材は、前記容器本体及び前記蓋体のうちのいずれか一方に設けられるとともに、凹球面状の内周面を有する支持部と、他方に設けられるとともに、前記支持部内に回動自在にかつ着脱自在に嵌入された嵌入突部と、を備え、前記３つ以上の連結部材のうち、一部の連結部材における前記嵌入突部が前記支持部内で回動し、かつ残りの連結部材における前記嵌入突部が前記支持部に着脱されることで、前記収納凹部が開閉されることを特徴とする。
【０００７】
この発明によれば、蓋体の外周縁部のうちの一部（以下、引き上げ部分という）を容器本体に対して引き上げたときに、３つ以上の連結部材のうち、引き上げ部分から比較的遠く離れて位置する連結部材における嵌入突部が支持部内で回動しながら、引き上げ部分に対して比較的近くに位置する連結部材における嵌入突部が支持部から引き抜かれて、容器本体の収納凹部が開放されることとなる。
すなわち、蓋体の外周縁部のうち、特定の部分に限定されない任意の部分を引き上げても、前述のように容器本体の収納凹部を開放することが可能になり、収納凹部を開放する際の操作性を向上させることができる。
【０００８】
ここで、前記支持部は、有底筒状に形成されるとともに、前記容器本体及び前記蓋体のうちのいずれか一方に、他方に向けて開口するように配設され、前記支持部には、前記他方側の開口端縁から前記一方側に向けて延びる縦溝が形成され、前記嵌入突部は、前記縦溝内に挿脱しながら前記支持部内で回動してもよい。
【０００９】
この場合、嵌入突部が、縦溝内に挿脱しながら支持部内で回動するので、蓋体を、収納凹部が開放される開位置に位置させたときに、支持部内で回動する嵌入突部が縦溝に進入することとなり、蓋体を容器本体に対して大きく開くことが可能になり、操作性を確実に向上させることができる。
【発明の効果】
【００１０】
本発明によれば、収納凹部を開放する際の操作性を向上させることができる。
【図面の簡単な説明】
【００１１】
【図１】本発明に係る一実施形態として示したコンパクト容器の側面図である。
【図２】図１に示すコンパクト容器において、蓋体を除去した容器本体の上面図である。
【図３】図１に示すコンパクト容器において、図２のＡ−Ａ線に沿う部分の矢視断線面図である。
【図４】図１に示すコンパクト容器において、図２のＢ−Ｂ線に沿う部分の矢視断線面図である。
【図５】図４に示すコンパクト容器において、蓋体を開いて収納凹部を開放した状態を示す断面図である。
【発明を実施するための形態】
【００１２】
以下、図面を参照し、本発明の一実施形態に係るコンパクト容器１について説明する。
本実施形態のコンパクト容器１は、例えば化粧料等の内容物が収納される収納凹部１１が形成された容器本体１２と、容器本体１２に連結されて収納凹部１１を開閉する蓋体１３と、を備えている。
容器本体１２及び蓋体１３それぞれの平面視形状は互いに同形同大とされ、共通軸と同軸に配置されるとともに、共通軸回りに沿う向きも互いに一致している。
以下、この共通軸を容器軸Ｏといい、容器軸Ｏ方向に沿う蓋体１３側を上側、容器本体１２側を下側といい、また、容器軸Ｏに直交する方向を径方向といい、容器軸Ｏ回りに周回する方向を周方向という。
【００１３】
容器本体１２は、平面視矩形状の扁平な有底筒状に形成されている。
この容器本体１２の側壁部１４は平面視矩形の環状に形成され、この矩形をなす４つの辺部分それぞれにおける周方向の中央部に、図１に示されるように、指が差し込み可能な差込み凹部１５が各別に形成されている。差込み凹部１５は、図２及び図３に示されるように、径方向の外方のみならず上方にも開口している。この差込み凹部１５の上方に、蓋体１３の外周縁部の下面が位置していて、差込み凹部１５と蓋体１３の外周縁部の下面とが容器軸Ｏ方向で対向している。差込み凹部１５の、径方向の外側から見た平面視形状は、周方向に長い長方形状となっている。
【００１４】
容器本体１２の底壁部１６における中央部には、容器軸Ｏと同軸に位置するピン体１６ａが上方に向けて突設されている。ピン体１６ａの上端面は、容器本体１２の上端開口面とほぼ面一となっている。
容器本体１２の収納凹部１１には、平面視三角形状の中皿１１ａが、この三角形状をなす３つの辺部分のうちの１つが、容器本体１２の側壁部１４における１つの前記辺部分に沿い、かつ三角形状をなす３つの角部分のうちの１つが、ピン体１６ａの外周面に沿うように容器軸Ｏ回りに３つ配置されている。容器本体１２の収納凹部１１において、３つの中皿１１ａが配置されている部分を回避した位置に塗布具５１が配置される。
【００１５】
蓋体１３は、図３、図４及び図５に示されるように、平面視矩形状の扁平な有底筒状に形成された本体部１８と、本体部１８の上端開口部内に嵌合された外板１９と、本体部１８の底部に装着された鏡体２０と、を備えている。本体部１８の底部には、上方に窪む窪み部が形成されており、この窪み部に鏡体２０が配置されている。
これらの容器本体１２及び蓋体１３は、容器軸Ｏ回りに間隔をあけて配設された３つ以上の連結部材２１を介して互いに連結されている。
連結部材２１は、図２に示されるように、平面視矩形状をなす容器本体１２及び蓋体１３の４つの角部分に各別に配置されている。
【００１６】
そして本実施形態では、連結部材２１が、容器本体１２及び蓋体１３のうちのいずれか一方に設けられるとともに、凹球面状の内周面を有する支持部２２と、他方に設けられるとともに、支持部２２内に回動自在にかつ着脱自在に嵌入された嵌入突部２３と、を備えていて、複数の連結部材２１のうち、一部の連結部材２１における嵌入突部２３が支持部２２内で回動し、かつ残りの連結部材２１における嵌入突部２３が支持部２２に着脱されることで、収納凹部１１が開閉されるように構成されている。
【００１７】
以下、具体的に説明する。
嵌入突部２３は、図４及び図５に示されるように、蓋体１３の外周縁部に、下方に向けて突出するように配置されている。嵌入突部２３は、蓋体１３の本体部１８に形成された嵌合孔に嵌合された棒状の基部２５と、支持部２２内に回動自在にかつ着脱自在に嵌入された球状の先端部２６と、基部２５と先端部２６とを連結する連結部２７と、を備えている。先端部２６の外径は、連結部２７の外径より大きくなっている。
支持部２２は、容器本体１２の上端開口縁に配置されている。支持部２２は、有底筒状に形成されるとともに、上方に向けて開口するように配設されている。図示の例では、支持部２２は、凹曲面状の内周面を有する有底筒状に形成された本体筒部２８と、本体筒部２８の底部から下方に向けて突出し、容器本体１２に形成された嵌合孔に嵌合された棒状の連結片２９と、を備えている。本体筒部２８は弾性変形可能に形成されている。
図示の例では、容器本体１２の上端開口縁における前記４つの角部分に、下方に向けて窪む凹部１２ａが各別に形成されており、各凹部１２ａ内に支持部２２が配設されている。支持部２２の上端は、容器本体１２の上端開口縁よりも下方に位置している。凹部１２ａは、径方向の外側に向けて開口している。
【００１８】
さらに本実施形態では、支持部２２に、上端開口縁から下方に向けて延在し、嵌入突部２３が支持部２２内で回動しつつ挿脱される縦溝３１が形成されている。縦溝３１は、本体筒部２８の軸回りに間隔をあけて複数形成されている。縦溝３１は、図２に示されるように、本体筒部２８の軸回りに同等の間隔をあけて４つ形成されている。また、各縦溝３１は、平面視矩形状をなす容器本体１２及び蓋体１３の４つの辺部分のうち、当該支持部２２に隣接する２つの辺部分が延びる各方向に向けて本体筒部２８を各別に貫通している。
図示の例では、支持部２２の本体筒部２８の上端部は、上方に向かうに従い漸次拡径しており、嵌入突部２３が支持部２２内に引っ掛かり少なくスムーズに嵌入されるようになっている。
【００１９】
以上説明したように、本実施形態によるコンパクト容器１によれば、蓋体１３の外周縁部のうちの一部（以下、引き上げ部分という）を容器本体１２に対して引き上げたときに、３つ以上の連結部材２１のうち、引き上げ部分から比較的遠く離れて位置する連結部材２１における嵌入突部２３が支持部２２内で回動しながら、引き上げ部分に対して比較的近くに位置する連結部材２１における嵌入突部２３が支持部２２から引き抜かれて、容器本体１２の収納凹部１１が開放されることとなる。
図示の例では、平面視矩形状をなす容器本体１２の４つの辺部分のうち、１つの辺部分に位置する差込み凹部１５に指を差込み、蓋体１３の外周縁部の下面を上方に引き上げることで、４つの連結部材２１のうち、当該１つの辺部分に隣接して位置する２つの連結部材２１における嵌入突部２３が支持部２２から引き抜かれ、残り２つの連結部材２１における嵌入突部２３が支持部２２内で回動する。
以上より、蓋体１３の外周縁部のうち、特定の部分に限定されない任意の部分を引き上げても、前述のように容器本体１２の収納凹部１１を開放することが可能になり、収納凹部１１を開放する際の操作性を向上させることができる。
【００２０】
さらに、嵌入突部２３が、縦溝３１内に挿脱しながら支持部２２内で回動するので、蓋体１３を、収納凹部１１が開放される開位置に位置させたときに、支持部２２内で回動する嵌入突部２３が縦溝３１に進入することとなり、蓋体１３を容器本体１２に対して大きく開くことが可能になり、操作性を確実に向上させることができる。
またこの際、図示の例では、容器本体１２の凹部１２ａが、径方向の外側に向けて開口しているので、蓋体１３を前述の開位置に位置させたときに、嵌入突部２３が容器本体１２に干渉するのを抑えることが可能になり、蓋体１３を容器本体１２に対して確実に大きく開くことができる。
さらに、支持部２２の上端が、容器本体１２の上端開口縁よりも下方に位置しているので、蓋体１３を開いた後の操作時、及び蓋体１３を閉じる際に支持部２２が邪魔になるのを抑制することができる。
【００２１】
本発明は上記した実施の形態に限定されるものではなく、その趣旨を逸脱しない範囲で適宜変更可能である。
【００２２】
例えば前記実施形態では、嵌入突部２３を蓋体１３に配置し、支持部２２を容器本体１２に配置したが、嵌入突部２３を容器本体１２に配置し、支持部２２を蓋体１３に配置してもよい。
また、連結部材２１は、容器軸Ｏ回りに３つ配置してもよいし、５つ以上配置してもよい。
さらに、容器本体１２及び蓋体１３それぞれの平面視形状は、例えば円形状、三角形状若しくは五角以上の角形状等適宜変更してもよい。
また、支持部２２に縦溝３１を形成しなくてもよいし、容器本体１２に凹部１２ａを形成しなくてもよい。
【００２３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００２４】
１  コンパクト容器
１１  収納凹部
１３  蓋体
２１  連結部材
２２  支持部
２３  嵌入突部
３１  縦溝
Ｏ  容器軸
【図１】
2014212877.tif 000003
【図２】
2014212877.tif 000004
【図３】
2014212877.tif 000005
【図４】
2014212877.tif 000006
【図５】
2014212877.tif 000007